(57)【要約】【課題】  連続した撮影画像群をグループ化するに際して、簡単にかつ確実にグループ化することのできるデジタルカメラ、情報処理装置、情報処理プログラムを提供する。【解決手段】  連続した一群の画像の撮影が可能な撮影モードを備えた撮影手段（１３）と、撮影された画像を格納する画像記憶手段（１６）と、前記撮影モードを変更する撮影モード切り替え手段（１２）と、前記デジタルカメラを特定する識別情報を記憶する装置ＩＤ記憶手段（１７）と、撮影モードを切り替えるごとにカウント値を更新するカウンタ手段（１５）と、前記識別情報と前記カウンタ手段により更新されるカウント値とからグループＩＤを生成するグループＩＤ生成手段（１８）と、撮影モード内でのコマ番号を生成するコマ番号生成手段（１８）と、前記装置ＩＤと前記撮影モードと前記グループＩＤと前記コマ番号を当該撮影画像の画像ファイル内に格納するグループ情報記憶手段（１９）とを有するデジタルカメラである。【選択図】    図１
2006254219.tif 000002
【特許請求の範囲】
【請求項１】
デジタルカメラであって、
連続した一群の画像の撮影が可能な撮影モードを少なくとも１つ備えた撮影手段と、
前記撮影手段で撮影された画像を画像ファイルとして格納する画像記憶手段と、
前記撮影モードを変更する撮影モード切り替え手段と、
前記デジタルカメラを特定する識別情報を記憶する装置ＩＤ記憶手段と、
前記撮影モード切り替え手段で撮影モードを切り替えるごとにカウント値を更新するカウンタ手段と、
前記装置ＩＤ記憶手段に記憶されている前記識別情報と前記カウンタ手段により更新されるカウント値とから、グループＩＤを生成するグループＩＤ生成手段と、
切り替えられた撮影モード内でのコマ番号を生成するコマ番号生成手段と、
前記装置ＩＤと前記撮影モードと前記グループＩＤと前記コマ番号を当該撮影画像の画像ファイル内に格納するグループ情報記憶手段と、
を有することを特徴とするデジタルカメラ。
【請求項２】
前記装置ＩＤ記憶手段に記憶される前記識別情報は、機種ごとに一意な機種名又は機種番号、及び機体ごとに一意なシリアル番号であることを特徴とする請求項１に記載のデジタルカメラ。
【請求項３】
情報処理装置であって、
請求項１または２に記載のデジタルカメラに記憶されている前記画像ファイルを取り込む画像取り込み手段と、
前記取り込み手段で取得した画像を格納する第２の画像記憶手段と、
前記第２の画像記憶手段に記憶されている前記画像ファイルからグループＩＤを抽出し、抽出したグループＩＤをもとに前記画像ファイルをグループ化してグループ化した画像のグループ情報をデータベースに記憶するグループ化手段と
を有することを特徴とする情報処理装置。
【請求項４】
前記データベースに記憶されたグループ情報をもとに、前記第２の画像記憶手段から同一グループの画像ファイルを抽出するグループ抽出手段と、
前記グループ抽出手段で抽出した複数の画像ファイルに対して画像処理を実行する画像処理手段と、
を有することを特徴とする請求項３に記載の情報処理装置。
【請求項５】
情報処理装置の情報処理プログラムであって、
請求項１または２に記載のデジタルカメラに記憶されている前記画像ファイルを取り込む画像取り込みステップと、
前記取り込みステップで取得した画像を第２の画像記憶手段に格納する第２の画像記憶ステップと、
前記第２の画像記憶手段に記憶されている前記画像ファイルからグループＩＤを抽出し、抽出したグループＩＤをもとに前記画像ファイルをグループ化してグループ化した画像のグループ情報をデータベースに記憶するグループ化ステップと
をコンピュータに実行させるためのプログラム。
【請求項６】
前記データベースに記憶されたグループ情報をもとに、前記第２の画像記憶手段から同一グループの画像ファイルを抽出するグループ抽出ステップと、
前記グループ抽出ステップで抽出した複数の画像ファイルに対して画像処理を実行する画像処理ステップと、
を有することを特徴とする請求項５に記載のプログラム。
【発明の詳細な説明】
【技術分野】
【０００１】
本発明は、情報をグループ化する技術に関し、特にパノラマ撮影やブラケット撮影、インターバル撮影、連写などの連続撮影をした画像ファイル群のグループ化を、ファイルシステム（ファイル名やフォルダ名）に依存しない方法で実現する技術に関する。
【背景技術】
【０００２】
パノラマ撮影などによって連続して撮影した複数の画像をグループ化する方法として、ファイル名にグループを識別するための情報を含める方法（例えば、特許文献１）、グループ単位でそれぞれを異なるフォルダに格納する方法（例えば、特許文献２）が知られている。
【特許文献１】特許第３１１７２３７号明細書
【特許文献２】特開平７−１９２１２０号公報
【発明の開示】
【発明が解決しようとする課題】
【０００３】
しかし、特許文献１、特許文献２に記載の技術では、ユーザがファイル名や格納先フォルダを変更すると、グループ化が解除されたり、また関係のないファイルが同一グループとみなされる不具合が発生することがあった。更に、これらの方法では、ユーザはファイル名の変更やファイルの移し替えに際して注意する必要があるため操作性が劣るという指摘がされていた。
【０００４】
本発明は、かかる事情に鑑みてなされたものであり、連続した撮影画像群をグループ化するに際して、簡単にかつ確実にグループ化することのできるデジタルカメラ、情報処理装置、情報処理プログラムを提供することを目的とする。
【課題を解決するための手段】
【０００５】
上記課題を解決するための、本発明に係る請求項１に記載のデジタルカメラは、連続した一群の画像の撮影が可能な撮影モードを少なくとも１つ備えた撮影手段と、前記撮影手段で撮影された画像を画像ファイルとして格納する画像記憶手段と、前記撮影モードを変更する撮影モード切り替え手段と、前記デジタルカメラを特定する識別情報を記憶する装置ＩＤ記憶手段と、前記撮影モード切り替え手段で撮影モードを切り替えるごとにカウント値を更新するカウンタ手段と、前記装置ＩＤ記憶手段に記憶されている前記識別情報と前記カウンタ手段により更新されるカウント値とから、グループＩＤを生成するグループＩＤ生成手段と、切り替えられた撮影モード内でのコマ番号を生成するコマ番号生成手段と、前記装置ＩＤと前記撮影モードと前記グループＩＤと前記コマ番号を当該撮影画像の画像ファイル内に格納するグループ情報記憶手段と、を有する。
【０００６】
また本発明に係る請求項２に記載のデジタルカメラは、上記記載の発明であるデジタルカメラにおいて、前記装置ＩＤ記憶手段に記憶される前記識別情報は、機種ごとに一意な機種名又は機種番号、及び機体ごとに一意なシリアル番号である。
【０００７】
また、本発明に係る請求項３に記載の情報処理装置は、上記記載の発明であるデジタルカメラに記憶されている前記画像ファイルを取り込む画像取り込み手段と、前記取り込み手段で取得した画像を格納する第２の画像記憶手段と、前記第２の画像記憶手段に記憶されている前記画像ファイルからグループＩＤを抽出し、抽出したグループＩＤをもとに前記画像ファイルをグループ化してグループ化した画像のグループ情報をデータベースに記憶するグループ化手段とを有する。
【０００８】
また、本発明に係る請求項４に記載の情報処理装置は、上記記載の発明である情報処理装置において、前記データベースに記憶されたグループ情報をもとに、前記第２の画像記憶手段から同一グループの画像ファイルを抽出するグループ抽出手段と、前記グループ抽出手段で抽出した複数の画像ファイルに対して画像処理を実行する画像処理手段と、を有する。
【０００９】
また、本発明に係る請求項５に記載の情報処理プログラムは、上記記載の発明であるデジタルカメラに記憶されている前記画像ファイルを取り込む画像取り込みステップと、前記取り込みステップで取得した画像を第２の画像記憶手段に格納する第２の画像記憶ステップと、前記第２の画像記憶手段に記憶されている前記画像ファイルからグループＩＤを抽出し、抽出したグループＩＤをもとに前記画像ファイルをグループ化してグループ化した画像のグループ情報をデータベースに記憶するグループ化ステップとをコンピュータに実行させる。
【００１０】
また、本発明に係る請求項６に記載の情報処理プログラムは、上記記載の発明である情報処理プログラムにおいて、前記データベースに記憶されたグループ情報をもとに、前記第２の画像記憶手段から同一グループの画像ファイルを抽出するグループ抽出ステップと、前記グループ抽出ステップで抽出した複数の画像ファイルに対して画像処理を実行する画像処理ステップと、を有する。
【発明の効果】
【００１１】
本発明によれば、連続した撮影画像群を簡単にかつ確実にグループ化することができる。
【発明を実施するための最良の形態】
【００１２】
［第１の実施の形態］
図１は、本発明の第１の実施の形態のデジタルカメラの構成を示す図である。
【００１３】
デジタルカメラ１は、表示部１１、操作部１２、撮像部１３、メモリコントローラ１４、カウンタメモリ１５、画像メモリ１６、機器ＩＤ格納メモリ１７、処理部１８、記録装置１９及び通信部２０で構成されている。
【００１４】
表示部１１は、画像や情報などを表示するためのディスプレイ装置である。操作部１２は、ユーザが操作指示を入力するためのキー、ボタン等の入力デバイスである。撮像部１３は、被写体像を撮影して画像データを作成する。メモリコントローラ１４は、各メモリに対する情報の入出力を制御する。カウンタメモリ１５は、連続撮影を実行した回数を格納する。画像メモリ１６は、撮影した画像を保存する。機器ＩＤ格納メモリ１７は、デジタルカメラ１を特定するための識別情報を格納する。処理部１８は、デジタルカメラ１を統括的に制御する。記録装置１９は、デジタルカメラの動作に必要なデータなどを記録する。通信部２０は、外部装置との間で撮影画像等の情報の授受を行うためのインターフェースである。
【００１５】
次に、デジタルカメラ１が連続した画像群を撮影する、「連続撮影モード」について説明する。連続撮影モードには、パノラマ撮影、ブラケット撮影、インターバル撮影、連写などが有り、ユーザは撮影に際してこのいずれかを選択することができる。
【００１６】
ユーザがパノラマ撮影モードを選択し、カメラを横にずらしながら連続して複数の画像を撮影すると、その複数の画像を１組とする１枚のパノラマ画像を得ることができる。ユーザがブラケット撮影モードを選択し、複数回連続して撮影すると、例えば、露出を撮影毎に所定量だけ変化させた複数の画像を得ることができる。ユーザがインターバル撮影モードを選択し、撮影を開始すると設定した時間間隔で複数回連続して撮影することができる。ユーザが連写モードを選択し、シャッタを操作すると最短時間間隔で撮影した複数の画像を得ることができる。
【００１７】
従って、本発明が対象とする「連続撮影モード」とは、「一組の統一がある画像群を連続して撮影するモード」であると定義することができる。
【００１８】
次に、ユーザが連続撮影モードで撮影し、画像を保存する場合のデジタルカメラ１の動作について、図２〜図６を参照しつつ説明する。
【００１９】
ユーザが撮影に際して、デジタルカメラ１の操作部１２から撮影モード変更操作を行うと、処理部１８は、図２に示す撮影モード設定処理を実行する。
【００２０】
まず処理部１８は、ステップＳ０１〜Ｓ０２において、連続撮影モードに変更されたかどうかを調べる。そして、連続撮影モードに変更されたとき（ステップＳ０２  Ｙｅｓ）は、ステップＳ０３〜Ｓ０５において、処理用のデータ、フラグ類を設定する。即ち、連続撮影モードにあることを示すグループ化フラグをＯＮとし、連続撮影回数の加算を指示するためのカウントアップトリガをＯＮとし、撮影枚数を表わすコマ番号をリセットする。一方、撮影モードが連続撮影モードでないとき（ステップＳ０２  Ｎｏ）は、ステップＳ０６において、連続撮影モードにあることを示すグループ化フラグをＯＦＦとする。
【００２１】
ユーザがシャッタを操作して撮影を指示すると、処理部１８は、図３に示す撮影処理を実行する。ステップＳ１１において、撮像部１３は、被写体の光像を撮像素子によって画像データに変換し、画像処理を施した後圧縮フォーマットに変換する。ステップＳ１２において、連続撮影モードであるかどうかを調べ、連続撮影モードであれば（ステップＳ１２  Ｙｅｓ）、ステップＳ１３に示すグループＩＤ生成処理（図４）を実行する。
【００２２】
図４のステップＴ０１において、処理部１８は、機器ＩＤ格納メモリ１７から、機種毎に一意な符号とボディ毎に一意な符号を読み込む。ここで、機種毎に一意な符号には、例えば、機種名、モデル名、型式番号などが該当する。またボディ毎に一意な符号には、シリアル番号、製造番号などが該当する。
【００２３】
そして、ステップＴ０２において、カウンタメモリ１５から連続撮影回数のカウント値を読み込み、ステップＴ０３において、連続撮影モードに切り替えた後の最初の撮影かどうかを調べる。連続撮影モードに切り替えた後の最初の撮影の場合（ステップＴ０３  Ｙｅｓ）は、ステップＴ０４〜Ｔ０６において、カウンタメモリ１５の値に１を加算し、カウントアップトリガをＯＦＦとする。そして、ステップＴ０７において、符号とカウンタ値を結合してグループＩＤを生成してリターンする。
【００２４】
図５は、グループＩＤのフォーマットを示す図である。グループＩＤは、機種毎に一意な符号（Ｎ１ビット）、ボディ毎に一意な符号（Ｎ２ビット）、連続撮影を開始する毎にインクリメントされるカウンタ値（Ｎ３ビット）で構成されている。
【００２５】
この構成のグループＩＤによれば、連続撮影ごとに新たなグループＩＤが生成されるため、同一のグループＩＤをもつ撮影画像は同一のタイミングの連続撮影モードにおいて撮影された画像であると判断することができる。従って、ユニークなＩＤを生成することができる。
【００２６】
図３に戻り、ステップＳ１４〜Ｓ１５において、画像ファイルのヘッダ情報に撮影モード情報、グループＩＤ、コマ番号を書き込み、コマ番号を１つ増加する。図６は、画像ファイルのフォーマットを示す図である。画像ファイルは、ヘッダ情報と画像データとで構成されている。なお、「撮影モード情報」は、パノラマ撮影、ブラケット撮影、インターバル撮影、連写などを識別する情報である。コマ番号は、その連続撮影モードにおいて何番目に撮影されたかを表わしている。
【００２７】
図３のステップＳ１６において、現在の連続撮影モードに撮影可能なコマ番号の最大値が定められているかどうかを調べる。例えば、パノラマ撮影では、最大１０枚の撮影が可能であり、ブラケット撮影では、最大５枚の撮影が可能であると予め定められている場合が該当する。
【００２８】
現在の撮影モードにコマ番号の最大値が定められていない場合（ステップＳ１６  Ｎｏ）、あるいはコマ番号の最大値が定められていても、まだその値に達していない場合（ステップＳ１７  Ｎｏ）は、ステップＳ１９において、撮影した画像ファイルを記憶装置１９に格納して終了する。一方、コマ番号が最大値に達している場合（ステップＳ１７  Ｙｅｓ）は、連続撮影を終了させるため、ステップＳ１８において、連続撮影モードをリセットし、ステップＳ１９において、画像ファイルを記録装置１９に格納して終了する。
【００２９】
本実施の形態では上述のように、一意な符号をグループＩＤとしてファイルヘッダに格納する。グループＩＤは、装置を特定する情報と、グループごとに振られるシーケンシャルな番号とからなる。前記装置を特定する情報は、機種ごとに一意な符号（機種名、機種番号）と、ボディごとに一意な符号（シリアル番号）から生成される。
【００３０】
これにより、異なる装置で撮影した場合でも、重複したグループＩＤが振られてしまうことがなくなる。グループごとに振られるシーケンシャルな番号は、連続撮影ごとに更新されるカウンタ値であり、カウンタ値が飽和しないよう撮影装置の耐久撮影可能枚数に対して十分なだけのビット幅を持たせる。これらの組み合わせによりグループＩＤの唯一性を実現することができる。
【００３１】
このグループＩＤをファイルヘッダに格納することによって、ファイル名やフォルダ名に依存しないグループ化を実現することができ、また異なるグループが同一グループと誤って判別される可能性を除外することができる。
【００３２】
インターバル撮影のように時間のかかる撮影の場合、一旦連続撮影を中断して通常の撮影を行い改めて連続撮影を再開できるようにするために、グループＩＤをキーとして撮影モードやコマ番号を退避、復帰させることができる。
【００３３】
続いて、デジタルカメラ１とＰＣ（パーソナルコンピュータ）等の情報処理装置とを接続して、その情報処理装置においてグループ化されたファイルを取り扱う動作について説明する。
【００３４】
図７は、情報処理装置３０の構成を示す図である。情報処理装置３０は、表示部３１、操作入力部３２、通信インターフェース３３、情報ＤＢ３４、情報メモリ３５、プログラムメモリ３６、処理部３７を備えている。そして、処理部３７は、グループ化処理部３７ａ、グループ抽出処理部３７ｂ、画像処理部３７ｃを備えている。
【００３５】
表示部３１は、画像、データ等を表示するＣＲＴまたはＴＦＴ液晶ディスプレイである。操作入力部３２は、ユーザからの操作指示入力を受取るためのキーボード、マウス等の入力デバイスである。通信インターフェース３３は、デジタルカメラ１との間で画像フアイル等の情報を通信により授受するためのインターフェースである。情報ＤＢ３４は、画像のグループ情報を記憶する。情報メモリ３５は、通信インターフェース３３を介して受信した画像データを格納する。プログラムメモリ３６は、情報処理装置３０の各機能を制御するプログラムを保存する。処理部３７は、情報処理装置３０の動作を統括的に制御する。
【００３６】
グループ化処理部３７ａは、画像ファイルをグループ毎に集約する。グループ抽出処理部３７ｂは、同一グループに属する画像ファイルを抽出する。画像処理部３７ｃは、画像に対して所望の処理を実行する。
【００３７】
続いて、情報処理装置３０がデジタルカメラ１から連続撮影モードで撮影された画像を取り込み、所望の画像処理を実行する動作について図７〜図１１を参照しつつ説明する。
【００３８】
ユーザが情報処理装置３０にデジタルカメラ１を接続して、操作入力部３２から画像ファイルの転送を指示すると、デジタルカメラ１の記録装置１９に格納されている画像ファイルが通信部２０と通信インターフェース３３を介して情報メモリ３５に転送される。
【００３９】
次に、ユーザが転送された画像ファイルの登録を指示すると、グループ化処理部３７ａは、図８に示す登録処理を実行する。ステップＳ２１〜Ｓ２３において、転送された画像ファイルについて、そのヘッダ情報からグループＩＤを取り出し、同一のグループＩＤをもつ画像ファイルを抽出する。そして、ステップＳ２４において、抽出したファイルが同一グループであることを示すグループ情報を情報ＤＢ３４に登録する。
【００４０】
この登録処理を実行した後は、ユーザは連続撮影モードで撮影した画像に対して所望の画像処理を施すことができる。
【００４１】
ユーザが操作入力部３２から、ファイルリスト表示を要求すると、処理部３７は、図９に示すファイルリスト表示処理を実行する。図９のステップＳ３０において、処理部３７は、ファイルリスト取得処理（図１０）を実行する。
【００４２】
図１０のステップＴ１１において、ユーザが既に情報メモリ３５に記憶されている画像ファイルの表示を要求している場合（Ｔ１１  Ｙｅｓ）は、グループ抽出処理部３７ｂが、ステップＴ１２において、情報ＤＢ３４に記憶されているグループ情報に基づいて同一のグループに属する画像ファイルのリストを抽出する。そして、抽出された画像ファイルリストをグループごと、コマ番号ごとにソートしてリターンする。
【００４３】
一方、ユーザがデジタルカメラ１に記憶されている画像ファイルの表示を要求している場合（Ｔ１１  Ｎｏ）は、ステップＴ１３〜Ｔ１５において、処理部３７は、デジタルカメラ１の記録装置１９に格納されている画像ファイルを通信部２０と通信インターフェース３３を介して取り込む。そして、グループ化処理部３７ａは、転送された画像ファイルについて、そのヘッダ情報からグループＩＤを取り出し、同一のグループＩＤをもつ画像ファイルを抽出する。続いて、グループ抽出処理部３７ｂが、抽出された画像ファイルをグループごと、コマ番号ごとにソートしてリターンする。
【００４４】
図９に戻り、画像処理部３７ｃは、ステップＳ３１において、グループごと、コマ番号ごとにソートされた画像ファイルのリストに基づいて画像ファイルを抽出して、そのサムネイル画像を表示部２１に表示する。これにより、ユーザは、例えば、ブラケット撮影された複数の画像の中から一番良い画像を選択することができる。
【００４５】
ユーザが操作入力部３２から、パノラマ合成を要求すると、処理部３７は、図１１に示すパノラマ合成処理を実行する。そして、図１１のステップＳ３５において、処理部３７は、ファイルリスト取得処理（図１０）を実行する。このファイルリスト取得処理の内容は、既に説明しているため再度の説明は省略する。そして、ステップＳ３６において、画像処理部３７ｃは、連続撮影モードがパノラマ撮影であるグループに属する画像ファイルについてパノラマ合成処理を実行する。
【００４６】
なお、本実施の形態では通信部２０と通信インターフェース３３とを介して画像ファイルの授受を行っているが、この形態に限定されず、記録装置１９に用いられるリムーバブルな記録媒体に画像ファイルを格納して、この記録媒体を介して画像ファイルの授受を行っても良い。
【００４７】
本実施の形態では、情報処理装置（再生装置）はデジタルカメラから画像を取り込む手段を有し、取り込み時に画像ファイルからグループＩＤを抽出する。情報処理装置は同一のグループＩＤを持つファイルをグルーピングする。情報処理装置がデータベースを有する場合、前記グルーピングされたファイルをデータベースに登録し、読み込み時は瞬時に同一グループのファイルを抽出することができる。
【００４８】
［実施の形態の効果］
本実施の形態によれば、グループ化の条件はファイル名やフォルダ名に依存しないため、ユーザにファイルの位置やファイル名の変更に対する制限を加えることなくグルーピングを実現することができる。すなわち、ユーザはグループ化されているか否かによらず、自由にファイル名を変更したり、格納先のフォルダを変更したりすることができる。
【００４９】
また、本実施の形態では撮影装置が自動的に一意なグループＩＤを割り振るため、ユーザは過去に割り当てられたグループＩＤを気にする必要がなくなる。
【００５０】
また、本発明によれば、グループＩＤの唯一性が保証されるため、複数の撮影装置で撮影された画像ファイルが混在していても、グループを識別することが可能となる。
【００５１】
また、本発明によれば、グループ化情報を外部に持たないため、ファイルを転送、移動、整理する際に外部ファイルを更新する必要がない。すなわち、必要なファイルのみを、一般のファイル管理システムを利用して操作することが可能であり、グループＩＤを読み込むことのできる情報処理装置を使用することで、必要に応じてグループとして扱うことができるようになる。
【００５２】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００５３】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００５４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５５】
【図１】本発明の第１の実施の形態のデジタルカメラの構成を示す図。
【図２】撮影モード設定処理の手順を示すフロー図。
【図３】撮影処理を示すフロー図。
【図４】グループＩＤ生成処理を示すフロー図。
【図５】グループＩＤのフォーマットを示す図。
【図６】画像ファイルのフォーマットを示す図。
【図７】情報処理装置の構成を示す図。
【図８】登録処理を示すフロー図。
【図９】ファイルリスト表示処理を示すフロー図。
【図１０】ファイルリスト取得処理を示すフロー図。
【図１１】パノラマ合成処理を示すフロー図。
【符号の説明】
【００５６】
１…デジタルカメラ、１１…表示部、１２…操作部、１３…撮像部、１５…カウンタメモリ、１６…画像メモリ、１７…機器ＩＤ格納メモリ、１８…処理部、１９…記録装置、２０…通信部、３０…情報処理装置、３１…表示部、３２…操作入力部、３３…通信インターフェース、３４…情報ＤＢ、３５…情報メモリ、３６…プログラムメモリ、３７…処理部、３７ａ…グループ化処理部、３７ｂ…グループ抽出処理部、３７ｃ…画像処理部。
【図１】
2006254219.tif 000003
【図２】
2006254219.tif 000004
【図３】
2006254219.tif 000005
【図４】
2006254219.tif 000006
【図５】
2006254219.tif 000007
【図６】
2006254219.tif 000008
【図７】
2006254219.tif 000009
【図８】
2006254219.tif 000010
【図９】
2006254219.tif 000011
【図１０】
2006254219.tif 000012
【図１１】
2006254219.tif 000013